(57)【要約】      （修正有）【課題】電源のない場所に持運び水素の吸入と水素水の飲用との双方に使用できるようにするポータブル型電解装置を提供する。【解決手段】原水Ｗが収容されるキャップ２付きのタンク１と、タンク１の底部に設けられ原水Ｗを電解して水素を発生させる電解ユニット３と、タンク１の外部に設けられて電解ユニット３に接続され電解ユニット３を駆動するバッテリ７とを備えている。タンク１の内部に電解ユニット３で発生した水素の気泡Ｈをタンク１の上部に案内集合させるガイド筒４を設け、ガイド筒４の上部とタンク１の外部との間に水素吐出管５を配設した。【選択図】図１
0003198704.tif 000002
【実用新案登録請求の範囲】
【請求項１】
原水が収容されるキャップ付きのタンクと、タンクの底部に設けられ原水を電解して水素を発生させる電解ユニットと、タンクの外部に設けられて電解ユニットに接続され電解ユニットを駆動するバッテリとを備え、タンクの内部に電解ユニットで発生した水素の気泡をタンクの上部に案内集合させるガイド筒を設け、ガイド筒の上部とタンクの外部との間に水素吐出管を配設したことを特徴とするポータブル型電解装置。
【請求項２】
請求項１のポータブル型電解装置において、ガイド筒は電解ユニットに対面する拡開された端口を有し上部へ向けて絞込まれたロート形状であることを特徴とするポータブル型電解装置。
【請求項３】
請求項１または２のポータブル型電解装置において、ガイド筒はキャップに支持されタンクに対して抜差し可能であることを特徴とするポータブル型電解装置。
【請求項４】
請求項１〜３のいずれかのポータブル型電解装置において、水素吐出管のタンクの外側の端口は鼻付近に装着される吸入器のチューブが接続可能であることを特徴とするポータブル型電解装置。
【考案の詳細な説明】
【技術分野】
【０００１】
本考案は、電源のない場所に持運び水素の吸入や水素水の飲用に使用することのできるポータブル型電解装置に係る技術分野に属する。
【背景技術】
【０００２】
最近、体内の過剰な活性酸素を中和して健康を増進するために、水素水の飲用が行われるようになってきている。水素水の生成については、水道水等の原水を電解する手段が一般的である。従って、活性酸素が蓄積されやすい屋外でのスポーツの後等では、電源の関係で水素水を生成することができず、水素水の効果的な飲用ができないという状況がある。このため、電源のない場所でも水素水を生成することのできるポータブル型の水素水生成装置の開発が要望されている。
【０００３】
従来、ポータブル型の水素水生成装置としては、例えば、特許文献１に記載のものが知られている。
【０００４】
特許文献１には、原水が収容されるキャップ付きのタンクと、タンクの底部に設けられ原水を電解して水素を発生させる電解ユニットと、タンクの外部に設けられて電解ユニットに接続され電解ユニットを駆動するバッテリとを備えたポータブル型の水素水生成装置が記載されている。
【０００５】
特許文献１に係るポータブル型の水素水生成装置は、バッテリで駆動された電解ユニットによって原水から電解されて発生した水素をタンクの内部で原水に溶解させることで、電源のない場所でも水素水を生成することができるようにしたものである。
【先行技術文献】
【特許文献】
【０００６】
【特許文献１】実用新案登録第３１７５９９７号公報
【考案の概要】
【考案が解決しようとする課題】
【０００７】
特許文献１に係るポータブル型電解装置では、活性酸素の中和に有効であるといわれている水素の直接的な吸入という使用を行うことができないという問題点がある。
【０００８】
本考案は、このような問題点を考慮してなされたもので、電源のない場所に持運び水素の吸入と水素水の飲用との双方に使用することのできるポータブル型電解装置を提供することを課題とする。
【課題を解決するための手段】
【０００９】
前述の課題を解決するため、本考案に係るポータブル型電解装置は、実用新案登録請求の範囲の各請求項に記載の手段を採用する。
【００１０】
即ち、請求項１では、原水が収容されるキャップ付きのタンクと、タンクの底部に設けられ原水を電解して水素を発生させる電解ユニットと、タンクの外部に設けられて電解ユニットに接続され電解ユニットを駆動するバッテリとを備え、タンクの内部に電解ユニットで発生した水素の気泡をタンクの上部に案内集合させるガイド筒を設け、ガイド筒の上部とタンクの外部との間に水素吐出管を配設したことを特徴とする。  
【００１１】
この手段では、タンクの内部にガイド筒を設けガイド筒の上部とタンクの外部との間に水素吐出管を配設することで、電解ユニットで発生されタンクに収容されている原水に溶解されて水素水を生成している水素の気泡を案内集合させ水素吐出管から吐出させることができる。
【００１２】
また、請求項２では、請求項１のポータブル型電解装置において、ガイド筒は電解ユニットに対面する拡開された端口を有し上部へ向けて絞込まれたロート形状であることを特徴とする。
【００１３】
この手段では、ガイド筒がロート形状にとされることで、電解ユニットで発生された水素の気泡がスムースに上方の水素吐出管に向けて案内集合される。
【００１４】
また、請求項３では、請求項１または２のポータブル型電解装置において、ガイド筒はキャップに支持されタンクに対して抜差し可能であることを特徴とする。
【００１５】
この手段では、ガイド筒がキャップに支持されタンクに対して抜差し可能であることから、タンクの内部への原水の注入の際やタンクの内部に生成された水素水の飲用の際にガイド筒が邪魔になることがない。
【００１６】
また、請求項４では、請求項１〜３のいずれかのポータブル型電解装置において、水素吐出管のタンクの外側の端口は鼻付近に装着される吸入器のチューブが接続可能であることを特徴とする。
【００１７】
この手段では、水素吐出管が吸入器のチューブに接続可能であることで、継続的な水素の吸入に使用することができるようになる。
【考案の効果】
【００１８】
本考案に係るポータブル型電解装置は、タンクの内部にガイド筒を設けガイド筒の上部とタンクの外部との間に水素吐出管を配設することで、電解ユニットで発生されタンクに収容されている原水に溶解されて水素水を生成している水素の気泡を案内集合させ水素吐出管から吐出させることができるため、電源のない場所に持運び水素の吸入と水素水の飲用との双方に使用することができる効果がある。
【００１９】
さらに、請求項２として、ガイド筒がロート形状にとされることで、電解ユニットで発生された水素の気泡がスムースに上方の水素吐出管に向けて案内集合されるため、水素吐出管から吐出される水素量を確実に確保することができ、水素の吸入に好適となる効果がある。
【００２０】
さらに、請求項３として、ガイド筒がキャップに支持されタンクに対して抜差し可能であることから、タンクの内部への原水の注入の際やタンクの内部に生成された水素水の飲用の際にガイド筒が邪魔になることがないため、使い勝手が良好になる効果がある。
【００２１】
さらに、請求項４として、水素吐出管が吸入器のチューブに接続可能であることで、継続的に非拡散状態で水素を吸入することができるようになるため、水素を効率的に吸入することができる効果がある。
【図面の簡単な説明】
【００２２】
【図１】本考案に係るポータブル型電解装置を実施するための形態の断面図である。
【図２】図１の要部の拡大断面図である。
【図３】図１のＸ−Ｘ線断面図である。
【図４】図１の使用例を示す正面図である。
【図５】図１の他の使用例を示す正面図である。
【考案を実施するための形態】
【００２３】
以下、本考案に係るポータブル型電解装置を実施するための形態を図面に基づいて説明する。
【００２４】
この形態では、携帯性のある比較的小型のものが示されている。
【００２５】
この形態は、図１に示すように、タンク１，キャップ２，電解ユニット３，ガイド筒４，水素吐出管５，底ケース６，バッテリ７，制御回路８，スイッチ９の各部で構成されている。
【００２６】
タンク１は、耐腐食性の材料で上部開放，下部閉塞の円筒形に形成され、内部に水道水等の原水Ｗが収容されるある程度の容積を有している。
【００２７】
キャップ２は、耐腐食性の材料で上部閉塞，下部開放の円筒形に形成され、側面部２１がタンク１の上部に嵌合または螺合とされて着脱可能とされ、タンク１とともに密閉性のある茶筒型構造を形成している。このキャップ２の天面部２２の中央部には、水素吐出管５が挿通支持される筒形の支持孔２３が設けられている。
【００２８】
電解ユニット３は、タンク１の底部に設けられた方盤形からなる。この電解ユニット３は、図２に詳細に示されるように、ケーシング３１，高分子膜３２，電極板３３，３４，スプリング３５からなる。
【００２９】
電解ユニット３のケーシング３１は、内部に反応室３１１となる容積が確保された方形の窓枠形に形成されてなるもので、天部のほぼ全面に開口された方形の窓孔３１２と、窓孔３１２の４つの周縁から窓孔３１２の中心に向けて突出された小爪形のストッパ３１３と、側部に外部と反応室３１１とを連通するように穿孔された連通孔３１４とが設けられている。
【００３０】
電解ユニット３の高分子膜３２は、イオンの通過を規制するイオン交換機能を有する薄膜からなるもの（例えば、デュポン社製の「ナフィオン Nafion」が選択される）で、ケーシング３１の窓孔３１１を閉塞する大きさの方形に形成されている。この高分子膜３２については、例えば、デュポン社製の「ナフィオン Nafion」を選択すると、厚さが１２７〜１８３μｍ程度となる。
【００３１】
電解ユニット３の電極板３３，３４は、チタンを基材として白金メッキを施した線材を菱形の網状に組んでなるもので、高分子膜３２の両面の全面に積層されプラス，マイナスの両極を構成する。この電極板３３，３４については、最終的に制御回路８に接続される図示しないリード，電線が接続されている。
【００３２】
電解ユニット３のスプリング３５は、ケーシング３１の反応室３１１の内部に圧縮収容されるコイルスプリングからなるもので、積層された高分子膜３２，電極板３３，３４をケーシング３１のストッパ３１３に弾圧する。このスプリング３５については、ケーシング３１の反応室３１１側の電極３３のリードを兼用することができる。
【００３３】
ガイド筒４は、電解ユニット３に対面する拡開された端口４１を有し上部４２へ向けて絞込まれたロート形状に形成されている。
【００３４】
水素吐出管５は、ガイド筒４の上部４２とタンク１の外部との間に配設されたもので、キャップ２の支持孔２３に挿通支持されている。なお、水素吐出管５とガイド筒４とが一体的に成形され、結果的にガイド筒４もキャップ２の支持孔２３に支持されている。なお、図４に示すように、この水素吐出管５のタンクの外側の端口は鼻付近に装着される吸入器１０のチューブが接続可能である。
【００３５】
底ケース６は、タンク１の底部が延長された格好の円筒形に形成され、バッテリ７，制御回路８，スイッチ９を収容している。
【００３６】
バッテリ７は、電解ユニット３の駆動源となるもので、交換可能なまたは再充電可能になっている。
【００３７】
制御回路８は、バッテリ７，電解ユニット３の間に接続されたもので、電解ユニット３の駆動を制御する。
【００３８】
スイッチ９は、底ケース６から露出するように設けられたもので、バッテリ７のＯＮ，ＯＦＦ切換えや制御回路８の調整操作を行う。
【００３９】
この形態によると、図５に示すように、タンク１からキャップ２，ガイド筒４，水素吐出管５を一体的に取外して、タンク１の内部に水道水等の原水Ｗを収容して使用することになる。このとき、ガイド筒４がキャップ２に支持されタンク１に対して抜差し可能であることから、タンク１の内部への原水の注入の際にガイド筒４が邪魔になることがないため、使い勝手が良好である。
【００４０】
この携帯を使用するには、内部に原水Ｗが収容されたタンク１にキャップ２，ガイド筒４，水素吐出管５を一体的に取付けて、電源を探す必要はなくそのままスイッチ９を入れる。即ち、電源のない場所に持運んで使用することができる。
【００４１】
スイッチ９が入れられると、電解ユニット３の全体が原水Ｗに浸漬された状態で、ケーシング３１の窓孔３１２側の電極板３３をマイナス極とし反応室３１１側の電極３４をプラス極として通電することになる。この結果、原水Ｗが電気分解されケーシング３１の反応室３１１の内部にあるプラス極の電極板３４で水素イオンと電子とが生成され高分子膜３２を通過してケーシング３１の窓孔３１２に露出しているマイナス極の電極板３３で水素（ガス）が生成される。この水素は、微細な気泡Ｈを形成することから原水Ｗに効率的に溶解され、タンク１の内部で水素水からなる電解水を生成することになる。なお、原水Ｗが電気分解されると、プラス極の電極板３４でオゾン（ガス）も生成されることになる。ただし、オゾンは、高分子膜３２を通過することなくケーシング３１の反応室３１１の内部に滞留され、ケーシング３１の反応室３１１の内部の滞留圧力が大きくなるとケーシング３１の連通孔３１４から吐出される。この吐出されるオゾンは、大きな気泡となるため原水Ｗに簡単には溶解しない。
【００４２】
従って、図５に示すように、タンク１からキャップ２，ガイド筒４，水素吐出管５を一体的に取外すことによって、タンク１の内部に生成された水素水を飲用することができる。このとき、ガイド筒４がキャップ２に支持されタンク１に対して抜差し可能であることから、タンク１の内部の水素水の飲用の際にガイド筒４が邪魔になることがないため、使い勝手が良好である。
【００４３】
原水Ｗに溶解されなかった水素の気泡Ｈは、タンク１の内部の原水Ｗの中を上昇するが、ロート形状のガイド筒４によってスムースに上方の水素吐出管５に向けて案内集合される。
【００４４】
従って、水素吐出管５に口をつける等して水素を吸引することができる。なお、水素の気泡Ｈがロート形状のガイド筒４によって案内集合され、水素吐出管５から吐出される水素量が確実に確保されるため、水素の吸入に好適となる。
【００４５】
さらに、図４に示すように、水素吐出管５のタンクの外側の端口に鼻付近に装着される吸入器１０のチューブを接続して、水素を吸入する可能である
【００４６】
以上、図示した形態の外に、ガイド筒４に水素吐出管５を複数本接続したり分岐させたりすることも可能である。
【００４７】
さらに、吸入器１０として鼻，口を覆うカップ型のものを選択することも可能である。
【符号の説明】
【００４８】
１            タンク
２            キャップ
３            電解ユニット
４            ガイド筒
５            水素吐出管
７            バッテリ
１０          吸入器
【図１】
0003198704.tif 000003
【図２】
0003198704.tif 000004
【図３】
0003198704.tif 000005
【図４】
0003198704.tif 000006
【図５】
0003198704.tif 000007